(57)【特許請求の範囲】
【請求項１】
釣り糸の一端側に釣り針を取り付け、前記釣り糸の他端側に前記釣り糸を挟んで対向する一対の扁平部を有する膨出部を設けた枝素であって、各扁平部は、前記釣り針の軸部と針先部と湾曲部で形成される面と略平行になるように形成されていることを特徴とする枝素。
【発明の詳細な説明】
【技術分野】
【０００１】
本発明は、魚釣りに用いられる仕掛けに関し、詳細には幹糸や道糸に対して装着され、先端に釣り針を有する枝素に関する。
【背景技術】
【０００２】
船釣り等に用いられる仕掛けのひとつとして、幹糸や道糸（以下、幹糸と総称する）に沿って、適当な間隔をもって止着される釣り針付きの糸（枝素）がある。通常、枝素は、幹糸に直接連結されて取り付けられる他、枝素が容易に交換できるように、幹糸に、取付環やハリス挟持具（自動ハリス止め）を有する枝素取付部を設けることがある。
【０００３】
上記した枝素は、幹糸に対して取り付ける際、枝素の先端に設けられている釣り針の向きが釣果に影響を及ぼすことがある。しかし、枝素を指で摘んで幹糸や枝素取付部に取り付けようとすると、枝素に取り付けた釣り針の向きが定まらず、狙った方向に釣り針が向くように取り付けるには熟練が必要であった。従来は、枝素に取り付けた釣り針の向きを定めて幹糸に取り付けられるようにしたものが無く、枝素の幹糸に対する取り付けは釣り人の感に頼っているのが実情である。
【０００４】
なお、特許文献１には、釣り糸の両側に沿って平面部を形成したハリスが開示されており、このハリスの先端に釣り針を止着することで、ハリスの平面部と釣り針の向きについて関連付けることは可能と考えられる。
【特許文献１】特開２００３−２３９３７号
【発明の開示】
【発明が解決しようとする課題】
【０００５】
上記したハリスは、幹糸、特に幹糸に装着された枝素取付部のハリス挟持具（以下、挟持具とする）に対して取り付ける際、平面部によって周方向に動き難く取り付けることはできるが、通常、釣り糸は細くなると指で摘んでも平面部を感じて取り付けることは難しいため、このようなハリスでは、平面部に基づいて釣り針の方向を定めて取り付けることは困難である。
【０００６】
本発明は、上記した問題に着目してなされたものであり、釣り人の感に頼ることなく、釣り針の向きを定めて幹糸に取り付けることが可能な枝素を提供することを目的とする。
【課題を解決するための手段】
【０００７】
上記した目的を達成するために、本発明に係る枝素は、釣り糸の一端側に釣り針を取り付け、前記釣り糸の他端側に前記釣り糸を挟んで対向する一対の扁平部を有する膨出部を設けており、各扁平部は、前記釣り針の軸部と針先部と湾曲部で形成される面と略平行になるように形成されていることを特徴とする。
【０００８】
上記した構成の枝素では、幹糸に設けられた挟持具に装着する際、膨出部を摘んで枝素の釣り糸を挟持具に挟持させる。膨出部は、釣り糸からコブ状になって膨出していることから摘み易く、また、その膨出部には、一対の扁平部が形成されているため、指先の感覚で扁平部を探すことが容易となり、扁平部を腹部で摘むことで、釣り針の方向を定めながら、釣り糸を挟持具に挟持させることが可能となる。
【発明の効果】
【０００９】
本発明によれば、釣り人の感に頼ることなく、釣り針の向きを定めて幹糸に取り付けることが可能な枝素が得られる。
【発明を実施するための最良の形態】
【００１０】
以下、図面を参照しながら本発明に係る枝素の一実施形態について説明する。
【００１１】
図１から図４は、本発明に係る枝素の第１の実施形態を示す図であり、図１は、側面方向から見た枝素の全体図及び膨出部の拡大図、図２は、上方から見た枝素の全体図及び膨出部の拡大図、図３は、釣り針と膨出部に形成された扁平部の方向の関係を説明する図、そして、図４は、扁平部の形成方法の一例を説明する図である。
【００１２】
本実施形態に係る枝素１は、釣り糸（ハリス）２の一端側に釣り針５を備え、他端側に膨出部（釣り糸２に対して径方向外方に膨出する部分であり、コブとも称する）７が設けられている。
【００１３】
前記釣り針５は、公知のように、軸部５ａと連続して形成される湾曲部（ふところ）５ｂ、針先部５ｃ（返しが形成されていても良い）、及び釣り糸２が締結される取付部５ｄを備えており、釣り糸２と取付部５ｄとは公知の方法によって締結されている。この場合、軸部５ａの基端部である点Ｐ１、湾曲部５ｂの中間部である点Ｐ２、針先部５ｃの略先端である点Ｐ３で形成される面を、釣り針５の方向（湾曲部の方向）Ｄを規定する面と定義する。
【００１４】
前記膨出部７は、釣り糸２を玉結びなどで結んで作成された結びコブで形成されており、釣り糸２よりも太い状態となっている。そして、この膨出部７には、釣り糸２を挟んで対向するように、一対の扁平部７ａが形成されている。この一対の扁平部７ａは、例えば図４に示すように、釣り糸２に上述したように形成した膨出部（結びコブ）７を両側から押圧体（例えば、ペンチのような押圧体）２０で挟んで潰すことで形成することが可能である。このため、押圧体２０で潰した部分は、膨出部７の他の部分が湾曲した球面状になっているのに対し、これよりも平面状になるように形成される（このように平面状になったものを扁平部と定義する）。
【００１５】
本実施形態では、前記一対の扁平部７ａは、釣り糸２を挟んで対向するように形成されており、しかも、各扁平部は、釣り針５の軸部と針先部と湾曲部で形成される面（上記点Ｐ１〜Ｐ３で形成される面）と略同じ方向（略平行）になるように形成されている。従って、釣り針５は、膨出部７の扁平部７ａの対向する方向Ｄ１と交差する方向に、湾曲部５ｂが方向付けされて取り付けられている。
【００１６】
上記した構成の枝素によれば、図１から図３に示すように、一対の扁平部７ａを有する膨出部７を、指（親指Ｔ１と人差し指Ｔ２）で摘むことで、釣り糸２が長手方向に滑って移動することを防止して枝素の釣り糸２を確実に摘むことができる。この場合、図３に示すように、扁平部７ａは釣り糸２より大径に形成された膨出部７に形成されているため指先の感覚で一対の扁平部７ａを探し易く、また、摘んだ膨出部７を周方向に動かしながら扁平部７ａの位置を容易に探すことができ、摘んだ親指Ｔ１と人差し指Ｔ２の各指腹を夫々の扁平部７ａに当てて持つことで更に持ち易く、枝素１の釣り糸２をその周方向に方向付けをして容易に持つことができる。
【００１７】
このため、図５に示すような仕掛け１０に対する装着がより容易に行えるようになる。この仕掛け１０は、幹糸１２と、幹糸１２の先端に錘１３と、幹糸１２に沿って所定の間隔で取り付けられた枝素取付部１５とを備えている。前記枝素取付部１５は、幹糸１２に対し、幹糸１２が挿通された状態で移動が規制されるように取り付けられるビーズ１５ａと、ビーズ１５ａに一体形成され、枝素１を止着する挟持具（自動ハリス止め）１５ｂとを備えている。
【００１８】
実際に、上記したように構成される枝素１を仕掛け１０に装着する場合、枝素１の他端側（膨出部７側）の釣り糸２を挟持具１５ｂの孔１５ｃに挿通した後、膨出部７の部分を摘まんで扁平部７ａを探し、その扁平部７ａの位置で釣り針５の方向を合わせる（図５に示すタイプの仕掛けでは、釣り針の針先部５ｃが上方を向くように取り付ける）。次に、位置合わせされた釣り針５を他方の手の指で摘み、矢印方向に引いて釣り糸２の膨出部７近傍を、挟持具１５ｂで挟持することで枝素１は、仕掛け１０に対して装着することができる。
【００１９】
これによって、幹糸１２に取り付けた枝素１の釣り針５を、釣り人の意図した方向に容易に取り付けることが可能となる。特に、本実施形態では、釣り針５が膨出部７の一対の扁平部７ａの対向する方向Ｄ１と交差する方向に湾曲部５ｂが方向付けされて取り付けられているため、摘んだ指（親指Ｔ１と人差し指Ｔ２）の対向方向と交差する方向に釣り針５の湾曲部５ｂが向くようになり、単に、釣り針５の針先部５ｃの上向きと下向きを確認するだけで、容易に所望の状態に取り付けることが可能となる。  
図５では、挟持具１５の上下方向の孔１５ｃに枝素１の他端側（膨出部７側）を上方から通し、釣り針５側が挟持具１５から上方に向けて突出するように配し、次に膨出部７の扁平部７ａに親指Ｔ１と人差し指Ｔ２を夫々当てて摘むことで扁平部７ａ，７ａの対向する方向と交差するように方向付けされた釣り針５をその針先部５ｃが上方を向くように方向を合わせて挟持具１５に釣り糸２を挟持している。なお、膨出部７は、挟持具１５に取り付けた枝素１の抜け止めとなっている。
【００２０】
以上、本発明の実施形態について説明したが、本発明は上記した実施形態に限定されることはなく、種々変形することが可能である。上記した実施形態では、釣り糸２の一端側に形成される膨出部７は、釣り糸２の端部による結びコブで形成したが、例えば、図６及び図７に示すように、釣り糸２の一端側に合成樹脂１７を付着することで形成しても良い。この場合、例えば溶融または軟化した合成樹脂を釣り糸２に付着させた後、硬化させて形成することが好ましく、溶剤系の合成樹脂接着剤や光硬化樹脂等を用いることが可能である。
【００２１】
また、一対の扁平部１７ａについては、釣り糸２に合成樹脂を付着して形成した膨出部７に形成しても良く、上記した結びコブで扁平部を設けた手法と同様にして形成することが可能である。或いは、一対の扁平部は、加熱して釣り糸のコブを溶融又は軟化させて形成しても良い。
【００２２】
また、勿論、膨出部に形成される一対の扁平部については、釣り針の湾曲部の方向と交差する方向以外の方向に配する構成であっても良く、釣りの状況に応じて釣り針の湾曲方向を設定することができる。さらに、扁平部は、膨出部に対して、少なくとも対向して一対設けられていれば良く、それ以外の部分に形成しても良い（膨出部に対し３つ以上の扁平部を形成しても良い）。
【図面の簡単な説明】
【００２３】
【図１】本発明に係る枝素の第１の実施形態を示す図であり、側面方向から見た枝素の全体図及び膨出部の拡大図。
【図２】上方から見た枝素の全体図及び膨出部の拡大図。
【図３】釣り針と膨出部に形成された扁平部の方向の関係を説明する図。
【図４】扁平部の形成方法の一例を説明する図。
【図５】仕掛けに枝素を取り付ける状態を説明する図。
【図６】本発明に係る枝素の第２の実施形態を示す図であり、側面方向から見た枝素の全体図及び膨出部の拡大図。
【図７】上方から見た枝素の全体図及び膨出部の拡大図。
【符号の説明】
【００２４】
１  枝素
２  釣り糸
５  釣り針
５ａ  軸部
５ｂ  湾曲部
５ｃ  針先部
１０  仕掛け
１２  幹糸
１５  枝素取付部
１５ａ  ビーズ
１５ｂ  挟持具
７  膨出部（コブ）
１７  合成樹脂（膨出部）
７ａ，１７ａ  扁平部
【図１】
0004804446.tif 000002
【図２】
0004804446.tif 000003
【図３】
0004804446.tif 000004
【図４】
0004804446.tif 000005
【図５】
0004804446.tif 000006
【図６】
0004804446.tif 000007
【図７】
0004804446.tif 000008